(57)【要約】【課題】高信頼性の電子機器を提供する。【解決手段】実施形態の電子機器は、表示パネルと、前記表示パネルの後ろ側を覆うバックカバーと、前記バックカバーの外縁に沿って設けられた外縁領域と、前記外縁領域の内側の境界に設けられた第１リブと、前記外縁領域内で前記第１リブに沿って設けられた第２リブと、前記第１リブと前記第２リブとに連続して設けられた第３リブと、を備えた。【選択図】図４
2014155119.tif 000002
【特許請求の範囲】
【請求項１】
表示パネルと、
前記表示パネルの後ろ側を覆うバックカバーと、
前記バックカバーの外縁に沿って設けられた外縁領域と、
前記外縁領域の内側の境界に設けられた第１リブと、
前記外縁領域内で前記第１リブに沿って設けられた第２リブと、
前記第１リブと前記第２リブとに連続して設けられた第３リブと、
を備えた電子機器。
【請求項２】
前記第１リブは、前記第２リブおよび前記第３リブと共に略環状をなした請求項１に記載の電子機器。
【請求項３】
前記外縁領域の外側の境界に設けられた外枠部をさらに備えた請求項２に記載の電子機器。
【請求項４】
前記第１リブは、前記バックカバーの角部に対応する位置で略Ｌ字形をなし、
前記第２リブは、前記バックカバーの角部に対応する位置で略Ｌ字形をなす請求項３に記載の電子機器。
【請求項５】
前記表示パネルと前記外縁領域との間に介在される枠状の中間部材を備え、
前記中間部材は、前記外縁領域に向かって突出した第４リブを有し、
前記第３リブは、前記第４リブが嵌る溝部を有する請求項４に記載の電子機器。
【請求項６】
前記バックカバーは、第１辺と第２辺とが交わる角部を有し、
前記第１リブは、前記第１辺に対応する第１部分と、前記第２辺に対応するとともに第１部分と略直交する第２部分と、を有し、
前記第２リブは、前記第１辺に対応する第３部分と、前記第２辺に対応するとともに第３部分と略直交する第４部分と、を有し、
前記第３リブは、前記第１部分と前記第３部分とに連続する第５部分と、前記第２部分と前記第４部分とに連続する第６部分と、を有する請求項３に記載の電子機器。
【請求項７】
前記バックカバーは、前記第１リブ、前記第２リブ、および前記第３リブとともに樹脂材料により一体に成形される請求項５に記載の電子機器。
【発明の詳細な説明】
【技術分野】
【０００１】
本発明の実施形態は、表示画面を有する電子機器に関する。
【背景技術】
【０００２】
電子機器の市場においては、衝撃等に強く信頼性の高いモデルが好まれる傾向がある。一方、製品の価格が市場競争力を左右する重要な要素となってきており、製造コストと品質のバランスが重要になってきている。
【先行技術文献】
【特許文献】
【０００３】
【特許文献１】特開２０１１−８６９７９号公報
【発明の概要】
【発明が解決しようとする課題】
【０００４】
本発明が解決しようとする課題は、高信頼性の電子機器を提供することである。
【課題を解決するための手段】
【０００５】
実施形態の電子機器は、表示パネルと、前記表示パネルの後ろ側を覆うバックカバーと、前記バックカバーの外縁に沿って設けられた外縁領域と、前記外縁領域の内側の境界に設けられた第１リブと、前記外縁領域内で前記第１リブに沿って設けられた第２リブと、前記第１リブと前記第２リブとに連続して設けられた第３リブと、を備えた。
【図面の簡単な説明】
【０００６】
【図１】第１実施形態の電子機器の一例である映像表示装置を前方向から示した正面図。
【図２】図１に示す映像表示装置をユニットカバーを取り外した状態で後方向から示した斜視図。
【図３】図２に示す映像表示装置の本体部分を分解して示した斜視図。
【図４】図３に示す映像表示装置のバックカバーを前方向から示した（バックカバーの内面側を示した）斜視図。
【図５】図３に示す映像表示装置の中間部材を後ろ側から示した斜視図。
【図６】図４に示すバックカバーの第１辺（上側）付近を拡大して示した斜視図。
【図７】図４に示すバックカバーの角部付近を拡大して示した斜視図。
【図８】図１に示すＦ８−Ｆ８線の位置に沿った断面図。
【図９】第２実施形態の電子機器の一例である映像表示装置のバックカバーを前方向から示した正面図。
【発明を実施するための形態】
【０００７】
以下、図１から図８を参照して、映像表示装置の第１実施形態について説明する。図１、実施形態の映像表示装置（テレビジョン）は、電子機器の一例であり、略長方形の外観を有している。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
図１、図２に示すように、映像表示装置１１は、本体部分１２と、本体部分１２を支持する脚部１３（支持部、スタンド）と、を有している。脚部１３は、断面略「Ｌ」字形の補強板１４を介して後述するバックカバー１５に取付けられており、本体部分１２を支持することができる（図２参照）。
【０００９】
図１から図３に示すように、本体部分１２は、表示画面をなしている平板状の表示パネル１６と、表示パネル１６の前方に設けられてその前方を覆ったフロントカバー１７（フロントベゼル、マスク）と、表示パネル１６の後方に設けられて表示パネル１６の後方を覆ったバックカバー１５と、バックカバー１５の前面に取付けられた反射板１８と、バックカバー１５の前面で反射板１８よりも前側に取付けられた光源２１（図４参照）と、反射板１８の前面に固定され種々の光学作用を発揮できる複数の光学シート２２（図８参照）と、光学シート２２よりも前側に設けられて、バックカバー１５との間に反射板１８および光学シート２２を挟み込む中間部材２３（ミドルフレーム）と、を備えている。
【００１０】
図２に示すように、映像表示装置１１は、さらに、バックカバー１５の後面に固定されたシステム基板２４、電源回路基板２５および液晶駆動基板２６と、バックカバー１５の下側に一対に設けられたスピーカ２７と、バックカバー１５に取付けられてこれらを覆うユニットカバー２８（第２バックカバー）と、を備えている。
【００１１】
バックカバー１５は、縦方向に延びた左右２個の絞り部３１を有している。絞り部３１は、例えば断面略「Ｕ」字形をなして映像表示装置１１の後ろ方向Ｂに突出している。絞り部３１は、バックカバー１５の剛性を向上して、バックカバー１５が前後方向に撓んでしまうことを防止している。図２に示すように、右側（前方向から見て左側）の絞り部３１よりも右側（前方向から見て左側）の位置に、システム基板２４が固定される。システム基板２４には、チューナ部および映像処理用の各種チップを含んでいて、映像表示装置１１を統括的に制御している。左側（前方向から見て右側）の絞り部３１よりも左側（前方向から見て右側）の位置に、電源回路基板２５が固定される。２個の絞り部３１の間の位置に、液晶駆動基板２６が固定される。
【００１２】
表示パネル１６は、２枚のガラス基板を張り合わせて形成した液晶セルで構成されている。なお、表示パネル１６は、液晶パネルに限定されるものではなく、例えばプラズマディスプレイパネル、有機ＥＬ、プラスチックディスプレイパネル、シートディスプレイパネル等、他の種類のディスプレイパネルであってもよい。表示パネル１６は、中間部材２３に対して固定されている。
【００１３】
図１に示すように、フロントカバー１７は、例えば合成樹脂材料によって、枠状（額縁状）に設けられており、中央部に設けられた開口によって表示パネル１６を外部に露出させている。フロントカバー１７、バックカバー１５、およびユニットカバー２８によって、映像表示装置１１の筐体３２が構成されている。また、フロントカバー１７、バックカバー１５、およびユニットカバー２８は、ねじ等の固定手段によって一体的に固定される。
【００１４】
光源２１は、複数のＬＥＤを並べて実装した細長い基板３３（ＬＥＤ基板）で構成されている。図４に示すように、本実施形態では、光源２１は、例えば５個の基板３３で構成されており、表示パネル１６を後方から直接的に照らすことができる。このため、光源２１は、いわゆるダイレクト方式のバックライトを構成する。基板３３のそれぞれは、バックカバー１５に設けられたフック状の保持部３４によってバックカバー１５に保持される。
【００１５】
図３に示すように、反射板１８は、バックカバー１５の内面に沿った皿型の形状をなしている。
【００１６】
図５に示すように、中間部材２３は、例えば合成樹脂材料によって、略枠状に設けられている。中間部材２３は、表示パネル１６と外縁領域３５との間に介在されている。中間部材２３は、略「Ｃ」字状をなして表示パネル１６の上側半分に対応した第１部材２３Ａと、略「Ｃ」字状をなして表示パネル１６の下側半分に対応した第２部材２３Ｂと、を含んでいる。第１部材２３Ａおよび第２部材２３Ｂのそれぞれは、外縁領域３５に向かって突出した第４リブ５５を有している。なお、中間部材２３は、１つの枠状の部材として形成してもよい。しかしながら、中間部材２３は、本実施形態のように２つの部材に分割しておくほうが金型を小さくできる等、取扱い性が良好である。
【００１７】
図４に示すように、バックカバー１５は、全体として方形の皿型をなしている。バックカバー１５は、例えば合成樹脂材料によって一体に成形されている。バックカバー１５は、本体部分１２の長手方向に沿った第１辺４１（長辺）と、第１辺４１と交差する方向の第２辺４２（短辺）と、これらが交わる位置にある角部４３と、を有している。図４、図６、図７に示すように、バックカバー１５は、錐台形に窪んだ中央領域４４（本体領域）と、バックカバー１５の外縁に沿って設けられた外縁領域３５と、を有している。
【００１８】
図４に示すように、外縁領域３５は、中央領域４４の周囲に設けられており、中央領域４４の上側と、中央領域４４の右側および左側を囲んでいる。外縁領域３５は、所定の幅を有して中央領域４４の周囲に額縁状に設けられている。バックカバー１５の下側の第１辺４１に対応する位置には、表示パネル１６（液晶セル）から延びた各種の配線（フレキシブルプリント配線板）が通るように、複数の切欠き部４５が設けられている。
【００１９】
図４、図６、図７に示すように、バックカバー１５は、外縁領域３５の内側の境界に設けられた第１リブ５１と、外縁領域３５内で第１リブ５１に沿って設けられた第２リブ５２と、第１リブ５１と第２リブ５２とに連続して設けられた第３リブ５３と、を有している。バックカバー１５は、外縁領域３５の外側の境界に設けられた外枠部５４をさらに備えている。外枠部５４は、フロントカバー１７と共に本体部分１２の外殻を構成している。
【００２０】
第１リブ５１は、中央領域４４と外縁領域３５との境界に設けられているとも言い換えることができる。第１リブ５１は、外縁領域３５の内側の境界に沿って連続的に設けられている。第１リブ５１は、バックカバー１５の角部４３に対応する位置を除いて、直線的に設けられている。図７に示すように、第１リブ５１は、角部４３に対応する位置において、いわゆる略「Ｌ」字形をなしている。角部４３に対応する位置において、第１リブ５１は、第１辺４１に対応する第１部分５１Ａと、第２辺４２に対応する第２部分５１Ｂと、を含んでいる。第２部分５１Ｂは、第１部分５１Ａと略直交している。第１リブ５１は、バックカバー１５の全体の剛性を向上するとともに、反射板１８の位置決めにも利用される。
【００２１】
図４、図６、図７に示すように、第２リブ５２は、第１リブ５１と略平行に設けられている。第２リブ５２は、第１リブ５１と同様に、バックカバー１５の角部４３に対応する位置を除いて、直線的に設けられている。第２リブ５２は、角部４３に対応する位置において、いわゆる略「Ｌ」字形をなしている。角部４３に対応する位置において、第２リブ５２は、第１辺４１に対応する第３部分５２Ａと、第２辺４２に対応する第４部分５２Ｂと、を有する。第４部分５２Ｂは、第３部分５２Ａと略直交している。
【００２２】
第３リブ５３は、第１リブ５１および第２リブ５２と略直交する方向に延びている。図７に示すように、角部４３に対応する位置では、第３リブ５３は、第１部分５１Ａと第３部分５２Ａとに連続する第５部分５３Ａと、第２部分５１Ｂと第４部分５２Ｂとに連続する第６部分５３Ｂと、を有している。第５部分５３Ａは、第６部分５３Ｂと交差する方向に延びている。
【００２３】
図６、図７に示すように、第３リブ５３のそれぞれは、中間部材２３の後述する第４リブ５５が嵌め込まれる溝部５６を有している。第３リブ５３は、溝部５６を介して、中間部材２３を位置決めすることができる。
【００２４】
第１リブ５１は、第２リブ５２および第３リブ５３と共に略環状をなしているが、これらがなす形状は、設けられる位置によって異なっている。すなわち、図６に示すように、第１から第３リブ５１〜５３は、角部４３から外れた位置では、略四角形状（略箱状）をなしている。一方、図７に示すように、第１から第３リブ５１〜５３は、角部４３に対応する位置では、２重になった略「Ｌ」字形部分を含む略多角形状（略袋状）をなしている。すなわち、略環状とは、略四角形状、略箱状、略多角形状、略袋状を総称している。
【００２５】
また、ここでいう略環状とは、第１から第３リブ５１〜５３が完全に連続していることを要するものではなく、第１から第３リブ５１〜５３が実質的に連続していることをいう。このため、第１から第３リブ５１〜５３のいずれかの一部分が、実装上の都合等によって途切れた部分を含んでいてもよい。
【００２６】
第１実施形態によれば、電子機器は、表示パネル１６と、表示パネル１６の後ろ側を覆うバックカバー１５と、バックカバー１５の外縁に沿って設けられた外縁領域３５と、外縁領域３５の内側の境界に設けられた第１リブ５１と、外縁領域３５内で第１リブ５１に沿って設けられた第２リブ５２と、第１リブ５１と第２リブ５２とに連続して設けられた第３リブ５３と、を備えている。
【００２７】
この構成によれば、第１リブ５１、第２リブ５２、第３リブ５３によって、バックカバー１５の外縁領域３５における剛性を向上できる。これによって、バックカバー１５に対してねじれ方向に荷重がかけられた場合でも、当該荷重に耐えるバックカバー１５を提供することができ、高剛性の電子機器を提供することができる。
【００２８】
第１リブ５１は、第２リブ５２および第３リブ５３と共に略環状をなしている。この構成によれば、外縁領域３５の重量増加を抑えつつ、外縁領域３５の第１リブ５１から第３リブ５３がなした環によって断面係数を効率よく向上できる。これによって、当該略環に対する曲げ荷重（つまり、バックカバーに対するねじれ方向の荷重）に対して強い電子機器を提供できる。
【００２９】
電子機器は、外縁領域３５の外側の境界に設けられた外枠部５４をさらに備えている。この構成によれば、第１から第３リブ５１〜５３と外枠部５４とが相まって、電子機器の外縁領域３５の強度をさらに向上できる。これによって、バックカバー１５に対するねじれ方向の荷重に対して強い電子機器を提供できる。
【００３０】
この場合、第１リブ５１は、バックカバー１５の角部４３に対応する位置で略Ｌ字形をなし、第２リブ５２は、バックカバー１５の角部４３に対応する位置で略Ｌ字形をなしている。この構成によれば、角部４３の位置で、第１リブ５１の略Ｌ字形と第２リブ５２の略Ｌ字形とが２重になったバックカバー１５を提供できる。これによって、当該角部４３の位置で断面係数を向上して、当該角部４３でねじれ方向の荷重に対して強い電子機器を提供できる。
【００３１】
電子機器は、表示パネル１６と外縁領域３５との間に介在される枠状の中間部材２３を備え、中間部材２３は、外縁領域３５に向かって突出した第４リブ５５を有し、第３リブ５３は、第４リブ５５が嵌る溝部５６を有する。この構成によれば、第３リブ５３の溝部５６を利用して、中間部材２３の位置決めをすることができる。これによって、簡単な構造で、バックカバー１５の強度向上と中間部材２３の位置決めとの両方を実現することができる。
【００３２】
バックカバー１５は、第１辺４１と第２辺４２とが交わる角部４３を有し、第１リブ５１は、第１辺４１に対応する第１部分５１Ａと、第２辺４２に対応するとともに第１部分５１Ａと略直交する第２部分５１Ｂと、を有し、第２リブ５２は、第１辺４１に対応する第３部分５２Ａと、第２辺４２に対応するとともに第３部分５２Ａと略直交する第４部分５２Ｂと、を有し、第３リブ５３は、第１部分５１Ａと第３部分５２Ａとに連続する第５部分５３Ａと、第２部分５１Ｂと第４部分５２Ｂとに連続する第６部分５３Ｂと、を有する。
【００３３】
この構成によれば、第１リブ５１の第１部分５１Ａおよび第２部分５１Ｂ、第２リブ５２の第３部分５２Ａおよび第４部分５２Ｂ、第３リブ５３の第５部分５３Ａおよび第６部分５３Ｂによって、いわゆる多角形状の略環状を構成することができる。これによって、当該角部４３の位置で断面係数をより一層向上して、当該角部４３でねじれ方向の荷重に対して強い電子機器を提供できる。
【００３４】
バックカバー１５は、第１リブ５１、第２リブ５２、および第３リブ５３とともに樹脂材料により一体に成形される。この構成によれば、バックカバー１５の剛性維持と軽量化を実現しつつ、部品点数を削減して製造コストおよび組立工数を削減できる。
【００３５】
続いて、図９を参照して、電子機器の第２実施形態について説明する。第２実施形態の電子機器の一例である映像表示装置１１は、外縁領域３５は、中央領域４４の全周に設けられる点で第１の実施形態のものと異なっているが、他の部分は第１実施形態と共通している。このため、主として第１実施形態と異なる部分について説明し、共通する部分については図示或いは説明を省略する。
【００３６】
バックカバー１５は、全体として方形の皿型をなしている。バックカバー１５は、本体部分１２の長手方向に沿った第１辺４１（長辺）と、第１辺４１と交差する方向の第２辺４２（短辺）と、を有している。バックカバー１５は、錐台形に窪んだ中央領域４４（本体領域）と、バックカバー１５の外縁に沿って設けられた外縁領域３５と、を有している。外縁領域３５は、中央領域４４の周囲に設けられており、中央領域４４の上側および下側と、中央領域４４の右側および左側を囲んでいる。外縁領域３５は、所定の幅を有して中央領域４４の周囲に額縁状に設けられている。
【００３７】
バックカバー１５は、外縁領域３５の内側の境界に設けられた第１リブ５１と、外縁領域３５内で第１リブ５１に沿って設けられた第２リブ５２と、第１リブ５１と第２リブ５２とに連続して設けられた第３リブ５３と、を有している。バックカバー１５は、外縁領域３５の外側の境界に設けられた外枠部５４をさらに備えている。
【００３８】
第１リブ５１は、中央領域４４と外縁領域３５との境界に設けられているとも言い換えることができる。第１リブ５１は、外縁領域３５の内側の境界に沿って連続的に設けられている。第１リブ５１は、バックカバー１５の角部４３に対応する位置を除いて、直線的に設けられている。第１リブ５１は、角部４３に対応する位置において、いわゆる略「Ｌ」字形をなしている。角部４３に対応する位置において、第１リブ５１は、第１辺４１に対応する第１部分５１Ａと、第２辺４２に対応する第２部分５１Ｂと、を含んでいる。第２部分５１Ｂは、第１部分５１Ａと略直交している。
【００３９】
第２リブ５２は、第１リブ５１と略平行に設けられている。第２リブ５２は、第１リブ５１と同様に、バックカバー１５の角部４３に対応する位置を除いて、直線的に設けられている。第２リブ５２は、角部４３に対応する位置において、いわゆる略「Ｌ」字形をなしている。角部４３に対応する位置において、第２リブ５２は、第１辺４１に対応する第３部分５２Ａと、第２辺４２に対応する第４部分５２Ｂと、を有する。第４部分５２Ｂは、第３部分５２Ａと略直交している。
【００４０】
なお、本実施形態では、第１リブ５１の略「Ｌ」字形構造と第２リブ５２の略「Ｌ」字形構造とが２重になった構造を、４個の角部４３のそれぞれの近傍に有している。
【００４１】
第３リブ５３は、第１リブ５１および第２リブ５２と略直交する方向に延びている。角部４３に対応する位置では、第３リブ５３は、第１部分５１Ａと第３部分５２Ａとに連続する第５部分５３Ａと、第２部分５１Ｂと第４部分５２Ｂとに連続する第６部分５３Ｂと、を有している。第５部分５３Ａは、第６部分５３Ｂと交差する方向に延びている。
【００４２】
第３リブ５３のそれぞれは、中間部材２３の後述する第４リブ５５が嵌め込まれる溝部５６を有している。第３リブ５３は、溝部５６を介して、中間部材２３を位置決めできる。
【００４３】
第１リブ５１は、第２リブ５２および第３リブ５３と共に略環状をなしているが、これらがなす形状は、設けられる位置によって異なっている。すなわち、第１から第３リブ５１〜５３は、角部４３から外れた位置では、略四角形状（略箱状）をなしている。一方、第１から第３リブ５３は、角部４３に対応する位置では、２重になった略「Ｌ」字形部分を含む略多角形状（略袋状）をなしている。
【００４４】
第２実施形態によれば、下側の外縁領域３５にも、第１から第３リブ５１〜５３による略環状が形成され、４個の角部４３のそれぞれに第１から第３リブ５１〜５３による略多角形状が形成される。これによって、第１実施形態の電子機器に比して、バックカバー１５のねじれ方向の荷重に強い電子機器を提供できる。
【００４５】
なお、電子機器（映像表示装置１１）は、上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４６】
１１…映像表示装置、１２…本体部分、１５…バックカバー、１６…表示パネル、２３…中間部材、３５…外縁領域、４１…第１辺、４２…第２辺、４３…角部、４４…中央領域、５１…第１リブ、５２…第２リブ、５３…第３リブ、５４…外枠部、５１Ａ…第１部分、５１Ｂ…第２部分、５２Ａ…第３部分、５２Ｂ…第４部分、５３Ａ…第５部分、５３Ｂ…第６部分、５５…第４リブ、５６…溝部
【図１】
2014155119.tif 000003
【図２】
2014155119.tif 000004
【図３】
2014155119.tif 000005
【図４】
2014155119.tif 000006
【図５】
2014155119.tif 000007
【図６】
2014155119.tif 000008
【図７】
2014155119.tif 000009
【図８】
2014155119.tif 000010
【図９】
2014155119.tif 000011